(57)【要約】【解決手段】開示されているものは、スクリーンインターフェースを有するデバイスなどのような傷が付きやすいデバイス用の保護インサート（保護用挿入物）であり、本発明のケースは、前部、後部および縁部の衝撃からの保護を提供する。【選択図】図１
2014533379.tif 000002
【特許請求の範囲】
【請求項１】
内蔵カメラレンズ付きメディアデバイス用の保護ケースであって、
メディアデバイスを受容するように適合されたエンクロージャ（囲い）を画定するための、ベースおよびそのベースから上方に延在する側壁を備える保護要素と、
前記保護要素を受容するように適合されたエンクロージャ（囲い）を画定するための、ベースおよびそのベースから上方に延在する側壁、並びに、該ベースに取り外し可能に接続されたカバーを備えるハウジング要素と、
前記ベースに配置されるレンズ窓と、
を備えており、
本保護ケースに前記メディアデバイスが配置されると、前記内蔵カメラレンズが前記レンズ窓と同軸上に整列されると共に、前記保護要素が前記エンクロージャの内部に対して十分に押し付けられて、前記内蔵レンズを前記レンズ窓と同軸上に整列した状態に維持する、ことを特徴とする保護ケース。
【請求項２】
前記保護要素が弾性材料を含む、請求項１に記載の保護ケース。
【請求項３】
前記弾性材料が速度依存性発泡体である、請求項２に記載の保護ケース。
【請求項４】
前記ベースに相互接続され、且つ、前記レンズ窓と同軸上に整列した状態にある取り外し可能な拡張レンズを更に備える、請求項１に記載の保護ケース。
【請求項５】
前記拡張レンズは、レンズを通して受け取った画像を前記メディアデバイスにリダイレクトする（方向転換して送る）、請求項４に記載の保護ケース。
【発明の詳細な説明】
【技術分野】
【０００１】
［関連出願の相互参照］
本出願は、同一人に所有され且つ同時係属中の２０１１年１１月９日に出願されたニュージーランド仮出願第５９６２９４号、並びに、同一人に所有され且つ同時係属中の、２０１２年７月２２日に出願された米国仮出願第６１／６７４，３８０、２０１２年７月２３日に出願された米国仮出願第６１／６７４，８４４、及び、２０１２年７月２６日に出願された米国仮出願第６１／６７６，３０５に対して、米国特許法第１１９条に基づく外国優先権を主張する。上記各出願の主題は、参照によりその全体が本明細書に組み込まれる。
【０００２】
［技術分野］
本開示は、保護ケース、特に、衝撃吸収ケースに関する。
【背景技術】
【０００３】
携帯電話やその他同様の形態の携帯型メディアデバイスは一般的にはカメラを包含する。しかしながら、これらのデバイスに備えられたカメラは、高性能の光学要素が組み込まれたものではなく、写真用途に特に適合されたものではない。
【０００４】
多くの製造業者は、前記問題を解決しようと試みている。中には、レンズ装着ケースを包含する携帯電話カメラキットを製造する製造業者もある。このようなケースは、携帯電話の内蔵レンズと整列する一体型または取り付け可能なレンズマウントを包含する場合もあり、別個のレンズをこれらに離脱可能に装着することができる。しかしながら、使用者が自身の電話に既に保護ケースを取り付けている場合、使用者の保護ケースを取り外して、それをレンズ装着ケースと交換する必要がある。この取り外しおよび交換プロセスの間、携帯電話は損傷を受けやすく、レンズ装着ケースを代わりに装着しても、保護性が劣っていたり、重くて嵩張るものであったりする場合もあるため、交換ケースは保護カバーとして日常での使用に適さない場合もある。
【０００５】
他の試みとして、携帯電話ケースに対してではなく、携帯電話に対してカメラの内蔵レンズ上に直接取り外し可能に接続するレンズがある。このような試みは、接着剤、磁石などの様々な締結手段を必要とする。磁石は、適切な電話機能を妨害し、保護カバーの使用を妨げる可能性があることが示唆されている。接着剤の使用は、永久磁石を携帯電話に貼り付ける必要性を排除するが、信頼性があまり高くない可能性がある。
【０００６】
更に他の試みとして、携帯電話に直接取り外し可能に装着できる、一体型レンズを備えたケース部またはスリーブがある。これらのタイプの部分ケースは、接着剤や永久磁石の使用を回避するが、レンズの使用中、保護ケースを使用できない又は使用しにくいので、携帯電話は損傷を受けやすい状態である。
【０００７】
更に他の試みとして、スリーブ式携帯電話ケースにレンズタレット(lens turret)を一体化している。これらの種類のケースは嵩張る。
【０００８】
更に他の製造業者は、内蔵レンズに近接した第１位置から内蔵レンズ上に位置する第２位置まで移動する一体型スライド式レンズを備えた携帯電話ケースを製造している。この種類のケースは、単一種類の代替レンズの使用を許容するのみである。故に、使用者が使用したいレンズの種類ごとに別個のケースが必要になる。
【０００９】
前述のケースおよびデバイスは全て、携帯電話の適切な機能を妨害（阻害）し、携帯電話を交換プロセスの間、損傷を受けやすい状態にし、かつ、持ち歩くための更なるアイテムを必要とすることがあるため、問題を有し得る。これら及び他の理由により、写真用途のためにメディアデバイスカメラの使用（有用性）が最小限に抑えられる。
【先行技術文献】
【特許文献】
【００１０】
【特許文献１】（特になし）
【発明の概要】
【００１１】
本願の開示は、一実施形態において、内蔵カメラレンズ付きメディアデバイス用の保護ケースに向けられている。その保護ケースは、
メディアデバイスを受容するように適合されたエンクロージャ（囲い）を画定するための、ベースおよびそのベースから上方に延在する側壁を備える保護要素と、
前記保護要素を受容するように適合されたエンクロージャ（囲い）を画定するための、ベースおよびそのベースから上方に延在する側壁、並びに、該ベースに取り外し可能に接続されたカバーを備えるハウジング要素と、
前記ベースに配置されるレンズ窓と、を備えている。
本保護ケースに前記メディアデバイスが配置されると、前記内蔵カメラレンズが前記レンズ窓と同軸上に整列されると共に、前記保護要素が前記エンクロージャの内部に対して十分に押し付けられて、前記内蔵レンズを前記レンズ窓と同軸上に整列した状態に維持する。
【００１２】
前述のおよび他の特徴および利点は、添付の図面に例証されるような、本開示の例示的実施形態に関する以下のより具体的な記載から明らかになろう。同様の参照番号は、異なる図全体にわたって同一の部分を指す。図面は必ずしも正確な縮尺ではなく、本開示の原理を例証する際には強調を施している。ここで、例示的実施形態である図面を参照すると、同様の要素には同様の番号が付してある。
【図面の簡単な説明】
【００１３】
【図１】図１は、本開示によるメディアデバイス用ハウジングシステムの１つの実施形態の後部斜視図であり、このハウジングシステムは、ハウジング要素と、保護要素とを包含する（ハウジング要素を切り取って示している）。
【図２】図２は、図１に示すハウジングシステムのハウジング要素の前部斜視図である。
【図３】図３は、図２に示すハウジング要素の後部斜視図である。
【図４】図４は、図１に示すハウジング要素の閉鎖位置における側面図である。
【図５】図５は、図１に示すハウジング要素の開放位置における側面図である。
【図６】図６は、図１に示すハウジングシステムの保護要素の後部斜視図である。
【図７】図７は、図６に示す保護要素の線７−７を通る断面図である。
【図８】図８は、図１に示すハウジングシステムの前部斜視図であり、その中にメディアデバイスが配置されている。
【図９】図９は、図８に示すハウジングシステムの断面図であり、保護要素内にメディアデバイスが収納され、保護要素がハウジング要素に収納されている。
【図１０】図１０は、図１に示すハウジングシステムの別の実施形態の側面図であり、レンズ窓支持部材上に配置された磁石グロメット(magnetic grommet)と、対応する取り外し可能な拡張レンズとを備えている。
【図１１】図１１は、図１に示すハウジングシステムの別の実施形態の側面図であり、レンズ窓支持部材上に配置された磁石グロメットと、対応する取り外し可能な９０°拡張レンズとを備えている。
【図１２】図１２は、図１に示すハウジングシステムの別の実施形態の側面図であり、凹んだレンズ窓支持部材と、対応する取り外し可能な拡張レンズとを備えている。
【図１３】図１３は、本開示による保護ケースの別の実施形態の斜視図である。
【図１４】図１４は、本開示による保護ケースの別の実施形態の斜視図である。
【図１５】図１５は、本開示による取り付けシステムの斜視図であり、このシステムは、取り付け用スレッドと、図１３に従う保護ケースとを包含する。
【図１６】図１６は、図１５の取り付けシステムの斜視図であり、このシステムは、表面の下側に取り付けられている。
【図１７】図１７は、取り付け用スレッドと、図１３の保護ケースとを包含する本開示による代替の取り付けシステムの斜視図であり、取り付け用スレッドが表面の下側に取り付けられているところを示している。
【図１８】図１８は、図１７に示す取り付けシステムの一部の分解図である。
【図１９】図１９は、図１８に示す取り付けシステムの分解断面図である。
【発明を実施するための形態】
【００１４】
本発明は、様々な形状、大きさおよび寸法の広範なアイテムを保護するべく適合され得る保護ハウジングシステムに関する。例えば、保護されるアイテムは、楽器、ワインボトル、医療機器などであり得る。ハウジングシステムは、衝撃、振動、水、化学物質などの様々な状況から保護されることが望ましいアイテムなどの広範なアイテムと共に使用される。
【００１５】
１つの実施形態において、保護されるべきアイテム３００は、典型的なメディアデバイス、および、市場で入手可能な多くのメディアデバイスの１つ、例えば、静止画および／または動画用メディアデバイスの機能を有する携帯電話である。例証しやすいように、保護されるべきアイテム３００は、以下「メディアデバイス３００」と称する。
【００１６】
図１〜９を共に参照すると、本開示による保護ハウジングシステム１０の１つの実施形態の様々な図が例証されている。ハウジングシステム１０は、ハウジング要素１００と、保護要素２００とを備え、これらは共にメディアデバイス３００用の保護エンクロージャ（保護囲い、保護筐体）４０を画定する。
【００１７】
本保護ハウジングシステム１０はまた、様々な形状、大きさおよび寸法の広範なアイテムに適合され得る。例えば、保護されるアイテムは、楽器、ワインボトル、医療機器などであり得る。本実施形態において、保護されるべきアイテム３００は、典型的なメディアデバイス、および、市場で入手可能な多くのメディアデバイスの１つ、例えば、静止画および／または動画用メディアデバイスの機能を有する携帯電話である。例証しやすいように、保護されるべきアイテム３００は、以下「メディアデバイス３００」と称する。
【００１８】
図示されるように、ハウジング要素１００は、第１ハウジング部２０（例証しやすいように、第１ハウジング部２０を以下「ベース２０」と称する）と、第２ハウジング部３０（例証しやすいように、第２ハウジング部３０を以下「カバー３０」と称する）とを備え、これらは共に、相補的に噛み合って保護エンクロージャ４０を形成するように適合され得る。
【００１９】
ベース２０は、背面２２を、この背面２２から延在する４つの側壁（すなわち、上面、底面、左面および右面）と共に包含し、これらは共に、エンクロージャ４０を形成するように構成される。このエンクロージャ４０は、保護要素２００を中に受容するような大きさ及び寸法とされている。
【００２０】
支持部材４５は、背面２２から上方に延在し、レンズ窓５０は、背面２２に平行に配置され、かつ、支持部材４５上に支持されている。支持部材４５は、ベース２０と一体に形成されてもよく、または、永久的にもしくは一時的にそれらに対して相互接続されてもよい。同様に、レンズ窓５０は、支持部材４５と一体に形成されてもよく、または、永久的にもしくは一時的にそれらに対して相互接続されてもよい。レンズ窓５０は、エンクロージャ４０がハウジング要素１００外側の大気に流体接続されるように開放していてもよく、または、エンクロージャ４０とハウジング要素１００外側の大気との間の流体連通を防ぐまたは最小限に抑えるためシールを付与する窓要素５２を備えてもよい。
【００２１】
例えば、シール（例えば、圧縮Ｏリング）は、窓要素５２と支持部材４５との間に配置されて、エンクロージャ４０とハウジング要素１００外側の大気との間の流体連通を最小限に抑えるまたは防ぐ耐水性または防水性シールをその間に付与することができる。あるいは、窓要素５２は、支持部材４５と一体に形成されても、永久的にそれに固定されてもよい。
【００２２】
本実施形態において、支持部材４５は円筒形であり、かつ、シリンダー（円筒形状）の軸がカバー３０および／または背面２２にほぼ垂直であるように配向される。結果として、メディアデバイス３００がエンクロージャ４０内に配置されると、メディアデバイス３００の内蔵レンズとレンズ窓５０とが同軸上に整列される。
【００２３】
カバー３０は、ベース２０の背面２２に対向してベース２０と取り外し可能に連結している。使用時、ベース２０とカバー３０とは、カバー３０が閉鎖位置にてベース２０に固定されるときに、エンクロージャ４０内に保護要素２００を収納するようにまとまって構成されている。
【００２４】
ハウジング要素１００は、ハウジングシステム１０が使用される状況に耐え得る様々な材料を含み得る。例えば、ハウジング要素１００は、プラスチック、金属、グラスファイバーなどを含むが、これらに限定されない剛性または実質的に剛性である材料を含み得る。
【００２５】
幾つかの実施形態において、ハウジング要素１００は、耐衝撃性であるように適切に構成されてもよい。好適な耐衝撃性材料の例としては、ポリカーボネート、ＡＢＳ、アクリル樹脂などの耐衝撃性エンジニアリングプラスチック類、それらの複合体、およびそれらの組み合わせなどが挙げられるが、これらに限定されない。
【００２６】
前述の材料のいずれか又は全ては、強化用繊維および／または充填剤を含む繊維、充填剤、着色剤などの添加物、それらの複合体およびそれらの組み合わせを含んでもよい。
【００２７】
ベース２０およびカバー３０の壁厚は、ケースの使用が意図される用途にとって必要であるか、または望ましいように変更し得る。本実施形態において壁厚は、約０．１２５インチ（０．３１７５ｃｍ）であってもよい。
【００２８】
任意的には、ハウジング要素１００またはその一部は透明な材料を含んでいてもよく、それにより、エンクロージャ４０内に配置された操作可能なメディアデバイス３００上の視覚的表示（例えば、メニュー、ピクチャープレビューなど）のためののぞき窓が背面２２に付与される。
【００２９】
任意的には、ハウジング要素１００またはその一部は、背面２２およびレンズ窓５０などの光学的性能を有する材料を含んでもよい。例えば、ハウジング要素１００は、ポリカーボネートから形成されてもよく、背面２２およびレンズ窓領域５０において光学的性能を有する仕上げ剤でバフ処理することができる。
【００３０】
任意的には、ハウジング要素１００またはその一部は、その内面、その外面またはその内面および外面の両方の上に配置される傷防止フィルム、コーティングなど、またはそれらの組み合わせを含んでもよい。
【００３１】
１つの実施形態において、保護要素２００は、ハウジング要素１００内部の少なくとも一部分に適合するように構成され、かつ寸法付けされる材料または構造を包む。保護要素２００は、メディアデバイス３００を中にしっかりと収容するべく十分に押し付けられることができる様々な材料から形成されてもよく、それにより、デバイス３００は、エンクロージャ４０の内面に対して保護要素２００を押し付ける。好適な材料としては、弾性変形可能な衝撃吸収材料および／または振動減衰材料などが挙げられるが、これらに限定されない。１つの好適な材料は衝撃吸収材料であり、例えば、速度依存性材料、特に衝撃吸収発泡体材料（そのうちの１つがＰｏｒｏｎ  ＸＲＤ）である。
【００３２】
本実施形態において、保護要素２００は、中にメディアデバイス３００を受容するように構成され且つ寸法付けられたメディアデバイスケースである。１つの好適なケースは、Ｇ−Ｆｏｒｍ，ＬＬＣ（ロードアイランド州プロヴィデンス）から入手可能なツーピース型メディアデバイスである。
【００３３】
様々な締結アセンブリまたはデバイスを使用して、ベース２０にカバー３０を固定してもよく、例えば、ボタンアセンブリ、バックルアセンブリ、クリップアセンブリ、フック・ループアセンブリ、磁石アセンブリ、ボール・キャッチアセンブリおよび接着剤アセンブリ、または、いずれかの他の種類の締結アセンブリまたはデバイスが挙げられるが、これらに限定されない。
【００３４】
締結アセンブリを形成する様々な部品が、ベース２０にカバー３０を固定するように構成され且つ配置される。本実施形態において、ハウジングシステム１０は、一方側にヒンジファスナー６０（注：正しくは７０）と、他方側に解放可能なファスナー７０（注：正しくは６０）とを備え、これらのファスナーは協働してカバー３０を開放位置から閉鎖位置に移動させる。
【００３５】
開放位置において、ハウジングシステム１０がエンクロージャ４０内に保護要素２００を受容し、かつ、保護要素２００内にアイテム３００を配置させるように適合されると、次いで、カバー３０が閉鎖され、開放可能なファスナー７０（注：正しくは６０）を係合することによってカバー３０がベース２０に固定される。あるいは、最初にアイテム３００を保護要素２００内に配置し、次いでアイテム３００を収納した保護要素をエンクロージャ４０内に配置することもできる。
【００３６】
エンクロージャ４０内に配置されると、保護要素２００は摩擦嵌合におけるようにエンクロージャ４０の内部側壁に対して十分に押し付けられて、ハウジングシステム１０内でのアイテム３００の移動を最小限に抑えるまたは防ぐことができる。
【００３７】
１つの実施形態において、ハウジングシステム１０は、様々な要素内での使用のために適切に構成されてもよい。例えば、エンクロージャ４０は、例えばサーフィンやスキューバダイビング中に使用される際、本体とカバーの間に、及び、ベースに対して解放可能に装着される場合にはレンズマウントに水密Ｏリングシールを設けることによって、メディアデバイス３００を水から保護するべく防水性であってもよい。
【００３８】
任意的には、１つの実施形態において、封止構造（例証されていない）をベース２０および／またはカバー３０の外周に配置することにより、耐水性または防水性エンクロージャ４０としてもよい。例えば、ベース２０およびカバー３０は、Ｏリングなどの介在する封止構造と噛み合わされ、かつ、介在する封止機構を圧迫することによってベース２０およびカバー３０の間にシールを形成しつつ、共に締結機構によって閉鎖位置に保持されてもよい。封止構造は耐衝撃性、水密またはその両方であってもよい。封止構造用に様々な材料を使用してもよく、例えばシリコーン、ゴム、ＴＰＥ、速度依存性材料、それらの発泡体、それらの複合体など、およびそれらの組み合わせが挙げられるが、これらに限定されない。
【００３９】
あるいは、ベースおよびカバーは、ＲＴＶなどの使用により半永久的に封止されてもよい。
【００４０】
１つの実施形態において、カバー３０は、耐水性が重要でない状況では、メディアデバイスに気流および／または冷却を付与するための穴（例証されていない）を備えてもよい。
【００４１】
ハウジングシステム１０は、使用者がメディアデバイス３００からリアルタイムで画像および／または映像を獲得してワイヤレスでダウンロードすること、並びに、メディアデバイスの操作をワイヤレスで制御することができる防水性および／または耐衝撃性システムを提供することができる。例えば、保護要素２００がエンクロージャ４０内に配置され、且つ、メディアデバイス３００が保護要素２００内に配置されたハウジングシステム１０を自転車のハンドルに取り付ける場合、使用者は、Ｂｌｕｅｔｏｏｔｈ（登録商標）対応デバイスやＷｉ−Ｆｉなどを介した音声コマンドを用いて、中にあるメディアデバイスを遠隔制御することができる。
【００４２】
ハウジングシステム１０は、損傷を受けやすい状況でメディアデバイス３００を使用する際に有利である。例えば、ハウジング１００がないと、メディアデバイスは、身体活動中に使用されると、傷ついたり他の方法で損傷を受けたりする可能性がある。その後、メディアデバイス３００は、メディアデバイスとして通常に使用するためにハウジングから取り外し可能である。
【００４３】
使用時、メディアデバイス３００のカメラレンズ７０は、メディアデバイス３００が保護要素２００およびハウジング１０内に固定されると、レンズ窓５０とほぼ整列される。すなわち、レンズ７０およびレンズ窓５０は同軸上に整列された状態で配置される。
【００４４】
本開示の別の態様は、一体型拡張レンズを備えるか、または１つ以上の交換可能なレンズと共に使用可能なハウジングシステムである。図１０〜１２は、本開示によるハウジングシステム１０の他の実施形態を例証しており、このシステムは前の実施形態におけるのと同様の構成を有し、少なくとも１つの拡張レンズ８０(enhancement lens)を更に備える。好適な拡張レンズの例としては、広角、望遠、魚眼、クローズアップまたはマクロアダプターなどが挙げられるが、これらに限定されない。拡張レンズ８０は、ベース２０および／または支持部材４５と一体に形成されるか、それらに対して永久的に接続または取り外し可能に装着可能である。拡張レンズ８０は、磁石、光学レンズマウント（Ｃマウント、Ｔマウントなど）、バヨネットマウント、プラグインマウント、サイドインマウント、スクリューインマウントなどを含むが、これらに限定されない様々な取り外し可能な装着デバイスおよび方法を含むことができる。
【００４５】
図１０は、本開示によるハウジングシステム１０’を示しており、このシステムは、前の実施形態におけるのと同様の構成を有し、レンズ窓５２を有する少なくとも１つの取り外し可能な拡張レンズ８０を更に包含する。拡張レンズは、支持部材４５および／またはレンズ窓５０の寸法に対応するような大きさおよび寸法とされることが望ましく、内部に配置される様々なレンズ要素を備えることができる。本実施形態において、円形磁石５５ａは、支持部材の軸と同軸になるように支持部材４５の上縁に（接着、共成形などによって）装着される。拡張レンズ８０は、樽型または円筒形状であり、かつ、対応する円形磁石５５ｂを備えており、この円形磁石５５ｂは下縁に配置され、レンズ窓５０にて支持部材４５の上端に配置された円形磁石５５ａに対応している。レンズ８０は、５５ａにてレンズ窓５０に対して取り外し可能に装着されるように適合される。任意的には、このような様々な拡張レンズ８０は、各交換可能性のためにハウジング１０’との使用に適合され得る。
【００４６】
図１１は、本開示によるハウジングシステム１０”を示しており、このシステムは、前の実施形態におけるのと同様の構成を有する。本実施形態において拡張レンズ８０’は、使用者にメディアデバイス３００の内蔵レンズを介して視野の配向を変更させる９０°レンズを含む。９０°レンズを収容するために、レンズ窓５２をレンズ窓５０の軸に対して垂直に配置することができる。拡張レンズ８０’は、レンズ窓５０に対して約９０°の角度で配置されるプリズムを備えてもよく、媒介デバイス（例証されていない）が、レンズ窓５０から画像を受容し、かつ、当該画像をメディアデバイスのレンズに送信または反射して処理するように適合されている。任意的には、拡張レンズ８０は旋回または回転してカメラショットの方向を変更し得る。
【００４７】
図１２は、本開示によるハウジングシステム１０”を示しており、このシステムは、ハウジングシステム１０”と同様の構成を有し、かつ、凹んだレンズ窓５０を更に包含し、磁石グロメット５５ａが窪みの下縁に配置されている。拡張レンズ８０、８０’のいずれかを、窪んだレンズ窓５０’内に挿入し、磁石５５ａ、５５ｂを相互係合することによって使用してもよい。前の実施形態におけるように、このような様々なレンズは、各交換可能性のためにハウジングとの使用に適合され得る。
【００４８】
本開示の別の態様が図１３に例証されており、本図はメディアデバイス（例証されていない）用保護ケース４００を示しており、この保護ケース４００は、本体部４１０と、交換可能な取り外し可能なレンズ部４２０とを備え、これらは共に画面領域（例証されていない）以外のメディアデバイスをカバーする。前の実施形態におけるように、取り外し可能なレンズ部４２０は、本実施形態において示されたようなレンズ窓５２を有する９０°レンズなどの更なる拡張レンズ８０を包含してもよい。
【００４９】
本体部４１０は携帯電話の比較的大きい領域をカバーし、取り外し可能なレンズ部４２０は、本体部４１０と比べると携帯電話の比較的小さい領域をカバーする。取り外し可能なレンズ部４２０は、レンズ部４２０上に支持される一体型または取り外し可能な拡張レンズ８０を備えることができる。
【００５０】
ケース４００の保護特徴を最大とするために、レンズ部４２０は、カメラの内蔵レンズおよび周囲の隣接領域をカバーするように設計されているので、取り外されたときにメディアデバイスの大部分がメディアデバイス上に残り、本体部４１０によって保護される。故に、本保護ケースの利点は日常での使用に対するその好適性であり、特に、レンズ窓５０（本実施形態においては例証されていない）を備える取り外し可能なレンズ部４２０が、使いやすさのためにケースから突出していない。
【００５１】
本体部４１０および取り外し可能なレンズ部４２０は、ハウジング要素１００または保護要素２００に関して先に述べたいずれかのまたは全ての材料を含むところの、メディアケースに好適なあらゆる種類の材料から作成され得る。すなわち、本保護ケース４００は、上述の保護要素２００と同じ材料および構成で作成されてもよいが、それら材料およびその特定の構成に限定されない。
【００５２】
メディアデバイスにケースを取り付けるために、本体部４１０およびレンズ部４２０を縁４１０ａ、４２０ａで相互接続し、かつ、内蔵カメラレンズがレンズ窓（例証されていない）と整列するようにメディアデバイスをケースに挿入する。あるいは、まず本体部をメディアデバイス上に配置し、次いでレンズ部４２０を配置する。このレンズ部４２０は縁４１０ａ、４２０ａで本体部４１０と接合可能である。使用者が拡張レンズを使用して動画または写真を撮影しようとする場合、レンズ部４２０を取り外すおよび／または代替のレンズ部４２０と交換する。故に、メディアデバイスを完全に露出する必要はなく、それ故に、他のレンズ拡張キットと異なり、レンズ交換の間もメディアデバイスは保護された状態である。
【００５３】
図１４は、メディアデバイス用保護ケース４００’の別の実施形態を示しており、取り外し可能なレンズ部４２０は、前の実施形態におけるよりも比較的小さいケース領域を含む。この実施形態において、取り外し可能なレンズ部４２０は、前の実施形態におけるようにケース側壁の一部を形成しておらず、故に、レンズ交換中のケースの保護態様が更に向上する。
【００５４】
前述のケース４００、４００’のいずれかまたは両方は、１つ以上の交換可能かつ取り外し可能なレンズ部４２０（各々が異なる拡張レンズ８０を有する）と共に使用することができる。
【００５５】
本開示の別の態様は、ハウジングシステム及び／又は保護ケースを様々な別個の取り付け構造の１つに固定するための１つ以上の固定構造の結合または一体化である。図１５は、表面に取り付けることができるスレッド(sled)５００を示しており、ケース４００、４１０は、メディアデバイス３００などのメディアデバイスの画面（例証されていない）がスレッドの内面５１０に近接して配置されるように配置され得る。故に、画面はスレッドで保護され、メディアデバイスはケース４００、４１０によって保護される。この種類の配置は、静止画および動画撮影、特にアクション撮影のための非常に低いプロファイルの保護システムを付与する。例えば、スレッドは、ヘルメット、車、自転車、ロングボードの下側、スノーボードやサーフボードの上側など、および他の様々なアイテムに固定することができる。図１６は、メディアの画面がスレッドの内面５１０に対面し、かつ、それに保護されつつ、メディアデバイスの反対面がケースに保護されるように、表面Ｓの下側に取り付けたスレッド５００を示している。
【００５６】
図１７〜１９は、一体型取り付けシステムを備える保護システム６００の別の実施形態を示す。図示されるように、システム６００は、スレッド６１０と、ハウジング要素６２０とを備える。
【００５７】
ハウジング要素６２０は、ベース部６４０と、このベース部６４０と形状および大きさが対応するカバー部６３０とを備える。ベース部６４０およびカバー部６３０はいずれも、内側部分６４２と、ハウジングおよび／または保護要素に関して先に述べた材料のいずれかから作成可能な任意の部分６４４（外側部分６４４）とを備える。本実施形態において、内側部分６４２はポリカーボネートなどの剛性材料を含み、外側部分６４４はＴＰＵなどの比較的柔軟な材料を含む。
【００５８】
カバー部６３０は画面部分６５０ｄを備え、この画面部分６５０ｄは、内側部分と同じ材料から作成してもよく、または、タッチスクリーン膜、インタラクティブフィルム、インタラクティブガラス（例えば、Ｘｙｌｏガラス）などであってもよい。カバー部６３０は、スレッド６１０上のチャネル（６１２）と係合する対向する長手方向レール６３２を備える。
【００５９】
スレッド６１０は、ハウジング要素６２０の形状に対応する矩形をなしており、かつ、ハウジング要素６２０上の対応するレール６３２を受容するための縁から離間した２つの長手方向チャネル６１２を備える。スレッド６１０は、表面Ｓに取り付けるのに十分な剛性を有する材料を含み、かつ、ハウジングおよび／または保護要素に関して先に述べた材料のいずれかから作成可能である。
【００６０】
本実施形態において、ハウジング要素６２０は、上述のものなどの保護要素を受容して収容するような大きさや寸法とされ、かつ、上述のものと同様に機能する。ベース部およびカバー部は、前の実施形態に関連して先に述べた締結機構のいずれかを使用して閉鎖される。
【００６１】
任意的には、前述の実施形態のいずれかにおいて、ハウジング要素１００またはその一部分は、システム１００、５００の衝撃吸収能力を更に向上させるべく外面上に配置された衝撃吸収領域（例証されていない）を備えることができる。よって、ハウジング要素１００は全体的な保護を付与することができ、かつ、外側の衝撃吸収領域は縁および角などのより傷つきやすい区域をターゲットとした更なる保護を付与することができる。衝撃吸収領域は、保護要素２００に関して先に述べたものを含む様々な材料を含み得る。
【００６２】
特に定義されない限り、本明細書中で使用した技術用語および科学用語は、本開示が属する分野の当業者によって一般的に理解されるのと同じ意味を有する。
【００６３】
本明細書中に記載される幾つかの実施形態において、「連結される（ｃｏｕｐｌｅｄ）」および「接続される（ｃｏｎｎｅｃｔｅｄ）」という表現がそれらの派生語と共に使用されていることに留意されたい。これらの用語は互いの同義語として意図されていないことを理解すべきである。例えば、２つ以上の要素が互いに物理的または電気的に直接接触していることを示すために「接続される」という用語を使用して実施形態が記載されている場合がある。別の例では、２つ以上の要素が互いに物理的または電気的に直接接触していることを示すために「連結される」という用語を使用して実施形態が記載されている場合もある。しかしながら、２つ以上の要素が互いに直接接触していないが、やはり協働するまたは相互作用することを意味することもある。実施形態はこの関係において限定されない。
【００６４】
同様に、本明細書で使用される場合、「含む（備える）（ｃｏｍｐｒｉｓｅｓ）」、「含んでいる（備えている）（ｃｏｍｐｒｉｓｉｎｇ）」、「包含する（ｉｎｃｌｕｄｅｓ）」、「包含している（ｉｎｃｌｕｄｉｎｇ）」、「有する（ｈａｓ）」、「有している（ｈａｖｉｎｇ）」という用語またはその他それらの変形は、非包括的な包含を対象とする。例えば、列挙された要素を含むプロセス、方法、物品または装置は、必ずしも、それら要素のみに限定されず、明らかには列挙されていない、またはこのようなプロセス、方法、物品または装置に固有の他の要素を包含する場合がある。更に、明らかに反対のことが記載されていない限り、「または（ｏｒ）」は、排他的な「または」ではなく、包括的な「または」を指す。例えば、「条件ＡまたはＢ」は、以下のいずれか１つにより、即ち、
Ａは真であり（または存在し）、かつＢは偽である（または存在しない）；
Ａは偽であり（または存在せず）、かつＢは真である（または存在する）；ならびに、
ＡおよびＢはいずれも真である（または存在する）、により充足される。
【００６５】
更に「１つの（ａまたはａｎ）」は、本明細書中では実施形態の要素および構成要素を記載するために用いられる。これは単に便宜上発明の一般的意味を与えるために行われる。他の意味であることが明らかである場合を除き、この記載は１つまたは少なくとも１つを包含するものと解釈すべきであり、単数形もまた複数形を包含する。
【００６６】
最後に、本明細書中で使用される際、「１つの実施形態（ｏｎｅ  ｅｍｂｏｄｉｍｅｎｔ）」または「実施形態（ａｎ  ｅｍｂｏｄｉｍｅｎｔ）」に関する言及は、当該実施形態に関連して記載される特定の要素、特徴、構造、または特性が少なくとも１つの実施形態に包含されることを意味する。明細書中の様々な箇所にある「１つの実施形態において（ｉｎ  ｏｎｅ  ｅｍｂｏｄｉｍｅｎｔ）」という句は、必ずしも全てが同じ実施形態について言及しているわけではない。
【００６７】
本明細書中の「第１（ｆｉｒｓｔ）」、「第２（ｓｅｃｏｎｄ）」などの用語は順序や重要性を表すのではなく、ある要素を別の要素と区別するために使用されており、本明細書中の「１つの（ａまたはａｎ）」は量の限定を表すのではなく、言及された品目のうち少なくとも１つの存在を表すことに留意されたい。同様に、「底部（ｂｏｔｔｏｍ）」および「頂部（ｔｏｐ）」という用語は、特記されない限り、本明細書中では単に記載の便宜上使用されるだけであり、いずれか１つの位置または空間的配向に限定されないことにも留意されたい。更に、量に関連して使用される「約（ａｂｏｕｔ）」という修飾語も、記載された値を含み、かつ、文脈によって指示される意味を有する（例えば、特定量の測定に関連する誤差の程度を包含する）。「±１０％」という表記は、示された測定値が記載された値のマイナス１０％の量からプラス１０％の量までであり得ることを意味する。
【００６８】
本開示は例示的実施形態に関して記載されてきたが、様々な変更を行うことができること、および本開示の範囲を逸脱することなく、その要素の代わりに均等物を用いてもよいことが当業者には理解されるであろう。更に、本開示の必須範囲を逸脱することなく、特定の状況または材料に適合するようにその教示に対して多くの改変を行うことができる。故に、本開示は、本開示を実施するために想定される最良の形態として開示された特定の実施形態に限定されるものではなく、本開示には添付の請求の範囲内の全ての実施形態が包含されることが意図されている。
【符号の説明】
【００６９】
１００  ハウジング要素
２００  保護要素
３００  アイテム（メディアデバイス）
２０  ハウジング要素のベース
３０  ハウジング要素のカバー
５０  レンズ窓
８０  拡張レンズ
【図１】
2014533379.tif 000003
【図２】
2014533379.tif 000004
【図３】
2014533379.tif 000005
【図４】
2014533379.tif 000006
【図５】
2014533379.tif 000007
【図６】
2014533379.tif 000008
【図７】
2014533379.tif 000009
【図８】
2014533379.tif 000010
【図９】
2014533379.tif 000011
【図１０】
2014533379.tif 000012
【図１１】
2014533379.tif 000013
【図１２】
2014533379.tif 000014
【図１３】
2014533379.tif 000015
【図１４】
2014533379.tif 000016
【図１５】
2014533379.tif 000017
【図１６】
2014533379.tif 000018
【図１７】
2014533379.tif 000019
【図１８】
2014533379.tif 000020
【図１９】
2014533379.tif 000021
【手続補正書】
【提出日】平成26年7月10日(2014.7.10)
【手続補正１】
【補正対象書類名】図面
【補正対象項目名】全図
【補正方法】変更
【補正の内容】
【図１】
2014533379.tif 000022
【図２】
2014533379.tif 000023
【図３】
2014533379.tif 000024
【図４】
2014533379.tif 000025
【図５】
2014533379.tif 000026
【図６】
2014533379.tif 000027
【図７】
2014533379.tif 000028
【図８】
2014533379.tif 000029
【図９】
2014533379.tif 000030
【図１０】
2014533379.tif 000031
【図１１】
2014533379.tif 000032
【図１２】
2014533379.tif 000033
【図１３】
2014533379.tif 000034
【図１４】
2014533379.tif 000035
【図１５】
2014533379.tif 000036
【図１６】
2014533379.tif 000037
【図１７】
2014533379.tif 000038
【図１８】
2014533379.tif 000039
【図１９】
2014533379.tif 000040
【国際調査報告】
2014533379.tif 000041